(57)【要約】【課題】複数種類の映像信号出力装置の何れかを適宜選択して採用できるものでありながら、映像信号の形式を簡便に調整することができる映像表示システムを提供する。【解決手段】映像信号を出力する複数の映像信号出力装置からなる映像信号出力装置群と、前記映像信号を受取って、映像表示を行う表示装置と、を有し、各映像信号出力装置は、映像信号出力装置群の中から自機を特定させ得るＩＤ情報を保有しており、前記表示装置は、映像信号出力装置からＩＤ情報を読取る情報読取部と、前記映像信号出力装置の各々に対応したものである、前記映像信号の形式を表す形式情報の各々を記憶している記憶部と、前記記憶されている形式情報の中から、前記読取られたＩＤ情報により特定される映像信号出力装置に対応したものを選出する選出部と、該選出された形式情報を用いて、前記映像信号の形式を調整する形式調整部と、を備えた映像表示システムとする。【選択図】図２
2009115986.tif 000002
【特許請求の範囲】
【請求項１】
複数の映像信号出力装置からなり、該映像信号出力装置の各々は、映像信号を接続されている表示装置に出力するものである、映像信号出力装置群と、
前記映像信号出力装置に接続されているときに前記映像信号を受取り、該映像信号に基づいて映像表示を行うものである、表示装置と、
を有する映像表示システムであって、
前記映像信号出力装置群における各映像信号出力装置は、
該映像信号出力装置群の中から自機を特定させ得るＩＤ情報を保有しており、
前記表示装置は、
前記接続されている映像信号出力装置から前記ＩＤ情報を読取る情報読取部と、
前記映像信号出力装置の各々に対応したものである、前記映像信号の形式を表す形式情報の各々を記憶している記憶部と、
前記記憶されている形式情報の中から、前記読取られたＩＤ情報により特定される映像信号出力装置に対応したものを選出する選出部と、
該選出された形式情報を用いて、前記映像信号の形式を調整する形式調整部と、
を備えたことを特徴とする映像表示システム。
【請求項２】
複数の映像信号出力装置からなり、該映像信号出力装置の各々は、映像信号を接続されている表示装置に出力するものである、映像信号出力装置群と、
前記映像信号出力装置に接続されているときに前記映像信号を受取り、該映像信号に基づいて映像表示を行うものである、表示装置と、
を有する映像表示システムであって、
前記映像信号出力装置群における各映像信号出力装置は、
自機に対応した前記映像信号の形式を表す形式情報を保有しており、
前記表示装置は、
前記接続されている映像信号出力装置から前記形式情報を読取る情報読取部と、
該読取られた形式情報を用いて、前記映像信号の形式を調整する形式調整部と、
を備えたことを特徴とする映像表示システム。
【請求項３】
請求項１または請求項２に記載の映像表示システムにおける、前記映像信号出力装置群のうちの何れかの映像信号出力装置と、
前記表示装置と、
を備えたことを特徴とする映像表示システム。
【請求項４】
請求項１から請求項３の何れかに記載の映像表示システムであって、
前記映像信号出力装置は、テレビ放送に係る放送信号の受信を通じて、前記映像信号を取得することを特徴とするテレビ放送受信システム。
【請求項５】
前記映像信号は、
クロック信号、水平同期信号、垂直同期信号、および映像の色と輝度を表す画像データ信号、の各要素を有しており、
前記映像信号の形式は、
前記水平同期信号、垂直同期信号、および画像データ信号における、前記クロック信号を基準としたタイミングを表すことを特徴とする請求項４に記載のテレビ放送受信システム。
【請求項６】
前記映像信号は、
クロック信号、水平同期信号、垂直同期信号、および映像の色と輝度を表す画像データ信号、の各要素を有しており、
前記映像信号の形式は、前記各要素についての、信号レベル、極性、およびフォーマットのうちの何れかを表すことを特徴とする請求項４に記載のテレビ放送受信システム。
【請求項７】
前記映像信号出力装置は、
デジタルテレビ放送に係る放送信号を受信し、該放送信号にデコード処理を施すものであり、
前記表示装置は、液晶表示装置であることを特徴とする請求項４から請求項６の何れかに記載のテレビ放送受信システム。
【請求項８】
映像信号を出力する映像信号出力装置から該映像信号を受取り、該映像信号に基づいて映像表示を行う表示装置であって、
該映像信号出力装置から、該映像信号出力装置が保有しているＩＤ情報を読取る情報読取部と、
複数の映像信号出力装置の各々に対応したものである、前記映像信号の形式を表す形式情報の各々を記憶している記憶部と、
前記記憶されている形式情報の中から、前記読取られたＩＤ情報により特定される映像信号出力装置に対応したものを選出する選出部と、
該選出された形式情報を用いて、前記映像信号の形式を調整する形式調整部と、
を備えたことを特徴とする表示装置。
【請求項９】
映像信号を出力する映像信号出力装置から該映像信号を受取り、該映像信号に基づいて映像表示を行う表示装置であって、
該映像信号出力装置から、該映像信号出力装置が保有している前記映像信号の形式を表す形式情報を読取る、情報読取部と、
該読取られた形式情報を用いて、前記映像信号の形式を調整する形式調整部と、
を備えたことを特徴とする表示装置。
【請求項１０】
映像信号を、接続されている表示装置に出力する映像信号出力装置であって、
自機に対応した映像信号の形式を表す形式情報を保有しており、
該形式情報を前記表示装置に出力することを特徴とする映像信号出力装置。
【請求項１１】
前記形式調整部は、
前記映像信号に含まれる所定要素についての、基準時からのタイミングを変換することを特徴とする請求項８または請求項９に記載の表示装置。
【発明の詳細な説明】
【技術分野】
【０００１】
本発明は、映像表示を行う映像表示システム、およびこれに用いられる映像信号出力装置や表示装置に関する。
【背景技術】
【０００２】
近年、地上波デジタル放送を受信する放送受信システム等のように、例えば放送波の受信によって映像情報を取得するとともに、この映像情報に基づいた映像表示を行うものが普及している。またこのような映像表示処理では通常、受信装置の本体側にて、表示装置に適合した形式の映像信号が生成される。そしてこの映像信号が表示装置（液晶ディスプレイ装置等）に出力されることにより、映像表示が可能となる。
【０００３】
ここで従来の放送受信システム（映像表示システム）について、図５に示す構成のものを挙げて説明する。本図のように放送受信システム１００は、映像信号出力装置１０２と表示装置１０３が、それぞれの接続インターフェース（１５１、１５２）を介して接続されて構成されている。
【０００４】
そして地上波デジタル放送やワンセグ放送などによる放送波は、映像信号出力装置１０２のアンテナで受信され、ＲＦ部１２１のフロントエンドで、ＩＦ［Intermediate Frequency：中間周波数］信号に変換される。ＩＦ信号は、復調部１２２によりＴＳ［Transport Stream］信号に変換され、デコード部１２３によって音声信号と映像信号（クロック信号、水平同期信号、垂直同期信号、および映像データ信号を含む）に伸張される。音声信号は、音声ＤＡＣ部１２４によってアナログ信号に変換され、スピーカ等に出力される。
【０００５】
一方、デコード部１２３から出力された映像信号は、タイミング制御部１３０に入力され、後段の表示装置１０３に適合する形式の映像信号に調整される。映像信号の形式としては、例えばクロック周波数の値、水平同期信号や垂直同期信号におけるバックポーチ及びフロントポーチのタイミング、信号の極性や電圧レベルなどに関するものが挙げられる。
【０００６】
なお映像信号の形式が表示装置１０３に適合していなければ、表示装置１０３において適切な処理ができなくなり、ひいては適切に映像を表示させることができなくなる。またタイミング制御部１３０により形式の調整された映像信号は、表示装置１０３側のドライバ１３２に入力され、ドライバ１３２は映像信号に基づいて、ディスプレイに映像を表示させる。
【０００７】
また放送受信システム１００においては、映像信号出力装置１０２を他の種類のものに交換することも可能となっている。つまり、映像信号出力装置は接続インターフェース（１５１、１５２）によって表示装置１０３に着脱自在となっており、適宜、他の種類の映像信号出力装置を表示装置１０３に接続することが可能となっている。
【特許文献１】特開平５−７３０２２号公報
【特許文献２】特開平１１−５２９３４号公報
【発明の開示】
【発明が解決しようとする課題】
【０００８】
上述のような放送受信システムにおいて映像信号出力装置を他の種類のものに交換する場合、例えば表示装置において、映像信号出力装置から出力される映像信号の形式を調整し、自機に適合させる（自機内で適切に処理できるようにする）必要がある。通常、映像信号出力装置の種類によって表示装置側に出力する映像信号の形式（映像信号における各要素のタイミングなど）は異なっているためである。
【０００９】
例えば、映像信号出力装置が表示装置に出力する映像信号において画像データが含まれるタイミングと、表示装置が映像信号から画像データを抽出するタイミングとが異なっていると、表示装置において映像信号を適切に処理できないため、これらのタイミングを整合させる（形式を調整する）必要がある。
【００１０】
そのため表示装置において、映像信号の形式の調整内容を、手動によって種々切り替え可能としておき、映像信号出力装置を交換する度に、これに応じた映像信号の形式の調整を行わせる方法が考えられる。しかし当該方法によれば、交換時におけるユーザの負担が大きくなり、利便性を損なうおそれがある。
【００１１】
また映像信号出力装置の交換の度に、新たに採用された映像信号出力装置が出力する映像信号の形式を、映像信号自体を解析すること（例えばフロントポーチやバックポーチの時間等に基づいた演算）によって識別し、この識別結果に基づいて、映像信号の形式を調整する方法も考えられる。しかし当該方法によれば、比較的複雑な演算処理を実行するために規模の大きな回路が必要となり、製品の小型化や低廉化等が難しくなる。
【００１２】
そこで本発明は、上記の問題点に鑑み、複数種類の映像信号出力装置の何れかを適宜選択して採用できるものでありながら、映像信号の形式を簡便に調整することができる映像表示システムの提供を目的とする。
【課題を解決するための手段】
【００１３】
上記目的を達成するため、本発明に係る映像表示システムは、複数の映像信号出力装置からなり、該映像信号出力装置の各々は、映像信号を接続されている表示装置に出力するものである、映像信号出力装置群と、前記映像信号出力装置に接続されているときに前記映像信号を受取り、該映像信号に基づいて映像表示を行うものである、表示装置と、を有する映像表示システムであって、前記映像信号出力装置群における各映像信号出力装置は、該映像信号出力装置群の中から自機を特定させ得るＩＤ情報を保有しており、前記表示装置は、前記接続されている映像信号出力装置から前記ＩＤ情報を読取る情報読取部と、前記映像信号出力装置の各々に対応したものである、前記映像信号の形式を表す形式情報の各々を記憶している記憶部と、前記記憶されている形式情報の中から、前記読取られたＩＤ情報により特定される映像信号出力装置に対応したものを選出する選出部と、該選出された形式情報を用いて、前記映像信号の形式を調整する形式調整部と、を備えた構成（第１の構成）としている。
【００１４】
本構成によれば、表示装置に接続させる映像信号出力装置を交換した場合でも、映像信号出力装置から出力される映像信号の形式が、その映像信号出力装置の種類に応じて調整される。そのため、状況に応じて映像信号出力装置を適宜選択して採用することが容易となり、利便性の良いものとすることが可能となる。
【００１５】
また映像信号の形式を、新たに接続された映像信号出力装置に応じて調整する処理は、映像信号出力装置から読み出されたＩＤ情報に応じて予め記憶されている形式情報を選出し、この形式情報が用いられることで実現される。そのため、例えば映像信号自体を解析してその形式を識別するものに比べて、映像信号の形式をより簡便に調整することが可能となる。
【００１６】
また、各映像信号出力装置に対応した形式情報は、表示装置側で一括管理させることが可能である。そのため例えば何らかの事情で、映像信号出力装置に対応する映像信号の形式が変動したような場合であっても、表示装置のみの記憶内容を適切に修正するだけで対応可能となる。
【００１７】
また本発明に係る映像表示システムは、複数の映像信号出力装置からなり、該映像信号出力装置の各々は、映像信号を接続されている表示装置に出力するものである、映像信号出力装置群と、前記映像信号出力装置に接続されているときに前記映像信号を受取り、該映像信号に基づいて映像表示を行うものである、表示装置と、を有する映像表示システムであって、前記映像信号出力装置群における各映像信号出力装置は、自機に対応した前記映像信号の形式を表す形式情報を保有しており、前記表示装置は、前記接続されている映像信号出力装置から前記形式情報を読取る情報読取部と、該読取られた形式情報を用いて、前記映像信号の形式を調整する形式調整部と、を備えた構成（第２の構成）としている。
【００１８】
本構成によれば、表示装置に接続させる映像信号出力装置を交換した場合でも、映像信号出力装置から出力される映像信号の形式が、その映像信号出力装置の種類に応じて調整される。そのため、状況に応じて映像信号出力装置を適宜選択して採用することが容易となり、利便性の良いものとすることが可能となる。
【００１９】
また映像信号の形式を、新たに接続された映像信号出力装置に応じて調整する処理は、映像信号出力装置から読み出された形式情報が用いられることで実現される。そのため、例えば映像信号自体を解析してその形式を識別するものに比べて、映像信号の形式をより簡便に調整することが可能となる。
【００２０】
また、それぞれの映像信号出力装置に自機の形式情報を記憶させたものとなっている。そのため、例えば新たに製品化された映像信号出力装置を映像表示システムの一部として加える場合であっても、既に普及している表示装置側に何らかの修正が必要となることを回避することができる。
【００２１】
また本発明に係る映像表示システムは、上記第１または第２の構成に係る映像表示システムにおける、前記映像信号出力装置群のうちの何れかの映像信号出力装置と、前記表示装置と、を備えた構成（第３の構成）としてもよい。
【００２２】
本構成によれば、映像信号に基づいた映像を表示させることが可能となる。また状況に応じて、映像信号出力装置を他種のものと交換することが可能となる。そしてこの交換を行ったときについて、上記第１または第２の構成と同様に、映像信号の形式を簡便に調整することが可能となる。
【００２３】
また、上記第１から第３の何れかの構成に係る映像表示システムであって、前記映像信号出力装置は、テレビ放送に係る放送信号の受信を通じて、前記映像信号を取得する構成（第４の構成）のテレビ放送受信システムとすれば、上記構成における利点を享受しつつ、テレビ番組の表示を実行させることが可能となる。
【００２４】
また上記第４の構成としてより具体的には、前記映像信号は、クロック信号、水平同期信号、垂直同期信号、および映像の色と輝度を表す画像データ信号、の各要素を有しており、前記映像信号の形式は、前記水平同期信号、垂直同期信号、および画像データ信号における、前記クロック信号を基準としたタイミングを表す構成（第５の構成）としてもよい。
【００２５】
また上記第４の構成としてより具体的には、前記映像信号は、クロック信号、水平同期信号、垂直同期信号、および映像の色と輝度を表す画像データ信号、の各要素を有しており、前記映像信号の形式は、前記各要素についての、信号レベル、極性、およびフォーマットのうちの何れかを表す構成（第６の構成）としてもよい。
【００２６】
また上記第４から第６の何れかの構成としてより具体的には、前記映像信号出力装置は、デジタルテレビ放送に係る放送信号を受信し、該放送信号にデコード処理を施すものであり、前記表示装置は、液晶表示装置である構成（第７の構成）としてもよい。
【００２７】
また、映像信号を出力する映像信号出力装置から該映像信号を受取り、該映像信号に基づいて映像表示を行う表示装置であって、該映像信号出力装置から、該映像信号出力装置が保有しているＩＤ情報を読取る情報読取部と、複数の映像信号出力装置の各々に対応したものである、前記映像信号の形式を表す形式情報の各々を記憶している記憶部と、前記記憶されている形式情報の中から、前記読取られたＩＤ情報により特定される映像信号出力装置に対応したものを選出する選出部と、該選出された形式情報を用いて、前記映像信号の形式を調整する形式調整部と、を備えた構成（第８の構成）の表示装置であれば、上記第１の構成における表示装置として利用することができる。
【００２８】
また、映像信号を出力する映像信号出力装置から該映像信号を受取り、該映像信号に基づいて映像表示を行う表示装置であって、該映像信号出力装置から、該映像信号出力装置が保有している前記映像信号の形式を表す形式情報を読取る、情報読取部と、該読取られた形式情報を用いて、前記映像信号の形式を調整する形式調整部と、を備えた構成（第９の構成）の表示装置であれば、上記第２の構成における表示装置として利用することができる。
【００２９】
また、映像信号を、接続されている表示装置に出力する映像信号出力装置であって、自機に対応した映像信号の形式を表す形式情報を保有しており、該形式情報を前記表示装置に出力する構成（第１０の構成）の映像信号出力装置であれば、上記第２の構成に係る映像信号出力装置として利用することができる。
【００３０】
また上記第８または第９の構成としてより具体的には、前記形式調整部は、前記映像信号に含まれる所定要素についての、基準時からのタイミングを変換する構成（第１１の構成）としてもよい。
【発明の効果】
【００３１】
上述の通り、本発明に係る映像表示システムによれば、表示装置に接続させる映像信号出力装置を交換した場合でも、映像信号出力装置から出力される映像信号の形式が、その映像信号出力装置の種類に応じて調整される。そのため、状況に応じて映像信号出力装置を適宜選択して採用することが容易となり、利便性の良いものとすることが可能となる。
【００３２】
また映像信号の形式を、新たに接続された映像信号出力装置に応じて調整する処理は、映像信号出力装置から読み出されたＩＤ情報に応じて予め記憶されている形式情報を選出し、この形式情報が用いられることで実現される。そのため、例えば映像信号自体を解析してその形式を識別するものに比べて、映像信号の形式をより簡便に調整することが可能となる。
【発明を実施するための最良の形態】
【００３３】
本発明の実施形態として、実施例１および実施例２の各々について、以下に説明する。
【００３４】
［実施例１］
まず実施例１として、図１に示す構成のテレビ放送受信システム（映像表示システム）を挙げて、その内容を以下に説明する。本図のようにテレビ放送受信システム１は、複数種類の映像信号出力装置（２Ａ〜２Ｃ）からなる映像信号出力装置群と、表示装置３を有している。
【００３５】
そして映像信号出力装置と表示装置３は、互いに接続インターフェース（５１、５２）を介して、着脱自在に接続され、接続された状態で、実際にテレビ放送を受信するシステムとして使用される。なお図１は、映像信号出力装置２Ｃと表示装置３が接続された状態を表している。また接続インターフェース（５１、５２）間の信号伝送は、例えば双方を結線するＧＰＩＯ、Ｉ２Ｃバス、３線シリアルなどにより可能となっている。以下、テレビ放送受信システム１の構成について説明する。
【００３６】
まず映像信号出力装置の構成について説明する。映像信号出力装置は、図１に示す通り、ＲＦ部２１、復調部２２、デコード部２３、音声ＤＡＣ部２４、ＩＤ記憶部２５などを備えている。
【００３７】
ＲＦ部２１は、アンテナによって受信されたデジタルテレビ放送に係る放送信号を受取り、この放送信号に所定の処理を施して、ＩＦ信号に変換する。
【００３８】
復調部２２は、ＲＦ部２１側から入力されたＩＦ信号に所定の処理を施して、ＴＳ信号に変換する。またデコード部２３は、ＭＰＥＧ／Ｈ２６４のデコード装置などとして構成されており、復調部２２側から入力されたＴＳ信号に基づいて、音声信号および映像信号を生成し、後段の回路に出力する。
【００３９】
そして音声信号は、更に音声ＤＡＣ部２４に入力されてアナログ信号に変換され、不図示のスピーカ等に出力される。これにより、テレビ番組に係る音声を出力させることが可能となっている。また映像信号は、クロック信号、水平同期信号、垂直同期信号および映像データ信号（例えばＲＧＢ信号やＹＵＶ信号のように、映像における色および輝度を表す信号）の各要素を含んでおり、接続インターフェース５１を介して、表示装置３に出力される。
【００４０】
ＩＤ記憶部２５は、例えばＥＥＰＲＯＭやフラッシュメモリなどの不揮発性メモリとして構成されており、自機（映像信号出力装置）の種類に固有のＩＤ情報（例えば製品の型番など）が格納されている。つまりこのＩＤ情報によれば、他種の映像信号出力装置から、当該映像信号出力装置を識別することが可能となる。
【００４１】
なお各映像信号出力装置（２Ａ〜２Ｃ）は、何れも基本的には同様の構成となっている。ただし、表示装置３側に出力する映像信号の形式や、ＩＤ記憶部２５に格納されているＩＤ情報は、各映像信号出力装置（２Ａ〜２Ｃ）において異なっている。
【００４２】
次に、表示装置３の構成について説明する。表示装置３は、図１に示す通り、形式情報記憶部３１、判別部３２、形式調整部３３、ドライバ３４、およびディスプレイ３５などを備えている。
【００４３】
形式情報記憶部３１は、例えばＥＥＰＲＯＭやフラッシュメモリなどの不揮発性メモリとして構成されており、複数種類の映像信号出力装置（２Ａ〜２Ｃ）の各々に対応している形式情報を、映像信号出力装置のＩＤ情報に対応づけられた状態で記憶している。すなわち形式情報記憶部３１の記憶内容によれば、何れかの映像信号出力装置のＩＤ情報が特定されれば、その映像信号出力装置に対応している形式情報を特定することが可能となっている。
【００４４】
なお形式情報とは、映像信号についての形式を表す（形式を定める）情報のことであり、より具体的には、例えば水平同期信号、垂直同期信号、及び画像データ信号の各信号における、クロック信号を基準としたタイミング（例えば、何クロック目に水平同期信号を乗せるかといった内容）を表す情報である。またその他、クロック信号、水平同期信号、垂直同期信号、および画像データ信号の各信号における、信号レベル、極性、およびフォーマットを表す情報も含まれる。但し、形式情報の内容はこれらに限定されない。
【００４５】
判別部３２は、接続されている映像信号出力装置からＩＤ情報を受け取る。そしてこのＩＤ情報に基づいて、形式情報記憶部３１に格納されている複数の形式情報の中から、接続されている映像信号出力装置に対応するものを読み出して、形式調整部３３に出力する。
【００４６】
形式調整部３３は、判別部３２から伝送された形式情報に基づいて、接続されている映像信号出力装置から伝送される映像信号の形式を調整する処理（形式調整処理）を実行する。つまり、映像信号自体を解析して当該映像信号の形式（例えば水平同期信号、垂直同期信号、及び画像データ信号の各信号における、クロック信号を基準としたタイミングなど）を識別するのではなく、予め伝送されている形式情報に基づいて、当該映像信号の形式を識別する。そしてこの識別された情報を用いて、映像信号の形式を、後段のドライバ３４が映像信号を適切に処理できる所定の形式に変換する。これにより、映像信号出力装置から伝送される映像信号とドライバ３４とのインターフェースが整えられることになる。
【００４７】
例えば映像信号に含まれる画像データ信号については、形式情報に基づいて、クロック信号や何れかの同期信号など（基準時）を基準とした、画像データ信号のタイミングを識別する。そして映像信号出力装置から伝送されてくる映像信号について、このタイミングに相当する要素を、画像データ信号として抽出する。その後抽出した画像データ信号を、ドライバ３４によって適切に処理可能な形式のタイミングで、ドライバ３４に出力する。その結果、画像データ信号について、基準時からのタイミングが適切に調整（変換）されることとなる。なお形式調整処理としては種々の方法が採用可能であり、このような方法には限定されない。
【００４８】
ドライバ３４は、形式調整部３３から、信号形式の変換された映像信号を受取り、該映像信号に基づいてディスプレイ３５に映像を表示させる。またディスプレイ３５は、例えば液晶ディスプレイとして構成されている。
【００４９】
以上に説明した構成により、テレビ放送受信システム１は、映像信号出力装置においてテレビ放送に係る映像信号を取得する一方、表示装置３は映像信号を受取って、映像を表示させる。また映像信号出力装置を表示装置３から取り外し、その代わりに他種の映像信号出力装置を接続させることで、映像信号出力装置を交換することが可能となっている。
【００５０】
そして映像信号出力装置の交換がなされた場合には、表示装置３は、新たに採用された映像信号出力装置の種類に応じて、形式調整処理の内容を修正する処理（以下、「交換時修正処理」と称する）がなされる。この交換時修正処理の内容について、図２に示すフローチャートを参照しながら、以下に説明する。
【００５１】
表示装置３は、自機に接続されている映像信号出力装置が別の種類のものに交換されたか否かを、常時監視している（ステップＳ１１）。なお映像信号出力装置が交換されたか否かについては、表示装置３が自動的に検知するものとしても良く、交換時にユーザに所定操作が行われることで検知するものとしても良い。
【００５２】
そして映像信号出力装置が別の種類のものに交換された場合（ステップＳ１１のＹ）、表示装置３は、新たに接続された映像信号出力装置から、その映像信号出力装置のＩＤ記憶部２５に格納されているＩＤ情報を読み出す（ステップＳ１２）。読み出されたＩＤ情報は、判別部３２に伝送される。
【００５３】
その後判別部３２は、伝送されたＩＤ情報に対応する（ＩＤ情報により特定される映像信号出力装置に適合する）形式情報を、形式情報記憶部３１に格納されている形式情報群の中から選出する（ステップＳ１３）。選出された形式情報は、形式調整部３３に伝送される。そして形式調整部３３は、この選出された形式情報を受取ってから、次に新たな形式情報を受取るまでの間、かかる形式情報に基づいて、先述した形式調整処理を実行する。（ステップＳ１４）。
【００５４】
以上に説明した一連の処理により、テレビ放送受信システム１は、映像信号出力装置が、異なる信号形式の映像信号を出力する別の種類のものに取り替えられても、表示装置３において、この映像信号に基づいた映像表示が可能となっている。そのため、状況に応じて所望の映像信号出力装置を適宜選択して採用することができ、利便性の良いものとなっている。
【００５５】
また交換時修正処理は、映像信号出力装置から読み出されたＩＤ情報に応じて予め記憶されている形式情報を選出し、この形式情報に基づいた形式調整処理がなされることで実現されている。そのため、例えば映像信号自体を解析してその形式を識別するものに比べて、映像信号の形式をより簡便に調整することが可能となっている。その結果、演算処理のための大規模な回路を極力省くことができ、製品の小型化や低廉化等を容易とすることが可能となっている。
【００５６】
また本実施例は、各映像信号出力装置（２Ａ〜２Ｃ）に対応した形式情報は、表示装置３側で一括管理されており、各映像信号出力装置（２Ａ〜２Ｃ）は、自機のＩＤ情報を保有しているだけとなっている。そのため例えば何らかの事情で、映像信号出力装置に適合する映像信号の形式が変動したような場合であっても、表示装置３側のみの記憶内容を適切に修正するだけで対応可能となっている。
【００５７】
［実施例２］
次に実施例２として、図３に示す構成のテレビ放送受信システム（映像表示システム）を挙げて、その内容を以下に説明する。なお本実施例は、交換時修正処理に関する部分を除いては基本的に実施例１と同様の構成であるため、重複する説明は省略する。
【００５８】
図３に示すように、各映像信号出力装置（２Ａ〜２Ｃ）は、実施例１では配置されていたＩＤ記憶部２５を有しておらず、その代わりに、形式情報記憶部２６を有している。また表示装置３は、実施例１では配置されていた判別部３２を有しておらず、その代わりに形式情報取得部３６を有している。
【００５９】
形式情報記憶部２６は、例えばＥＥＰＲＯＭやフラッシュメモリなどの不揮発性メモリとして構成されており、自機（映像信号出力装置）に対応している形式情報を記憶している。つまり各映像信号出力装置（２Ａ〜２Ｃ）は、自機に対応した形式情報を保有しているものとなっている。なお形式情報の内容については、実施例１のものと同様である。
【００６０】
形式情報取得部３６は、映像信号出力装置側の形式情報記憶部２６に格納されている形式情報を読み出して取得する。読み出された形式情報は、形式調整部３３に伝送される。
【００６１】
そして実施例１と同様に映像信号出力装置の交換がなされた場合には、表示装置３において、新たに採用された映像信号出力装置の種類に応じて形式調整処理の内容を修正する、交換時修正処理がなされる。本実施例での交換時修正処理の内容について、図４に示すフローチャートを参照しながら、以下に説明する。
【００６２】
表示装置３は、自機に接続されている映像信号出力装置が別の種類のものに交換されたか否かを、常時監視している（ステップＳ２１）。なお映像信号出力装置が交換されたか否かについては、表示装置３が自動的に検知するものとしても良く、交換時にユーザに所定操作が行われることで検知するものとしても良い。
【００６３】
そして映像信号出力装置が別の種類のものに交換された場合は（ステップＳ２１のＹ）、形式情報取得部３６は、映像信号出力装置の形式情報記憶部２６に格納されている形式情報を読み出す（ステップＳ２２）。読み出された形式情報は、形式調整部３３に伝送される。
【００６４】
その後形式調整部３３は、この伝送された形式情報を受取ってから、次に新たな形式情報を受取るまでの間、かかる形式情報に基づいて、先述した形式調整処理を実行する。（ステップＳ１４）。
【００６５】
以上に説明した一連の処理により、テレビ放送受信システム１は、映像信号出力装置が、異なる信号形式の映像信号を出力する別の種類のものに取り替えられても、表示装置３において、この映像信号に基づいた映像表示が可能となっている。そのため、状況に応じて所望の映像信号出力装置を適宜選択して採用することができ、利便性の良いものとなっている。
【００６６】
また本実施例では、それぞれの映像信号出力装置（２Ａ〜２Ｃ）に自機の形式情報を記憶させたものとなっている。そのため、例えば新たに製品化された映像信号出力装置をテレビ放送受信システム１の一部として加える場合であっても、既に普及している表示装置３に何らかの修正が必要となることを回避することが可能となっている。
【００６７】
以上の通り、本発明の実施形態について説明したが、本発明はこれらの内容に限定されるものではなく、発明の主旨を逸脱しない限り、種々の改変を加えることが可能である。
【産業上の利用可能性】
【００６８】
本発明は、テレビ放送受信システムなどの分野において利用可能である。
【図面の簡単な説明】
【００６９】
【図１】本発明の実施例１に係る、テレビ放送受信システムの構成図である。
【図２】本発明の実施例１に係る、交換時修正処理の流れ図である。
【図３】本発明の実施例２に係る、テレビ放送受信システムの構成図である。
【図４】本発明の実施例２に係る、交換時修正処理の流れ図である。
【図５】従来のテレビ放送受信システムの一例に係る構成図である。
【符号の説明】
【００７０】
１    テレビ放送受信システム（映像表示システム）
２Ａ〜２Ｃ    映像信号出力装置
３    表示装置
２１    ＲＦ部
２２    復調部
２３    デコード部
２４    音声ＤＡＣ部
２５    ＩＤ記憶部
２６    形式情報記憶部
３１    形式情報記憶部
３２    判別部
３３    形式調整部
３４    ドライバ
３５    ディスプレイ
３６    形式情報取得部
５１、５２    接続インターフェース
【図１】
2009115986.tif 000003
【図２】
2009115986.tif 000004
【図３】
2009115986.tif 000005
【図４】
2009115986.tif 000006
【図５】
2009115986.tif 000007